(57)【特許請求の範囲】
【請求項１】
１つの移動電話端末と、
１つの機器に接続されて接続された機器の動作を制御する、１つ以上の機器制御装置とを備え、
上記機器制御装置は、
自身を識別する装置識別情報を記憶している装置記憶手段と、
自身に接続される機器に応じて、該機器の複数の動作を各々識別する動作識別情報を記憶している動作記憶手段と、
機器制御用の無線信号である旨を示す機器制御情報、および、上記装置記憶手段が記憶している装置識別情報と一致する装置識別情報が設定された無線信号を受信した場合に、上記動作識別情報の通知が要求されているならば、上記機器制御情報、上記装置記憶手段が記憶している装置識別情報、および、上記動作記憶手段が記憶している動作識別情報を設定した、該動作識別情報を通知するための無線信号を送信する動作一覧送信手段と、
上記機器制御情報、および、上記装置記憶手段が記憶している装置識別情報と一致する装置識別情報が設定された無線信号を受信した場合に、機器の動作の制御が要求されているならば、該無線信号に設定されている動作識別情報が示す動作を行うよう、自身に接続された機器を制御する機器制御手段とを有し、
上記移動電話端末は、
上記機器制御装置が接続された機器を各々識別する機器識別情報ごとに、該機器に接続された機器制御装置の装置識別情報を記憶している機器・装置記憶手段と、
機器の動作を制御する旨の機器制御指示の入力を、動作を制御すべき機器の機器識別情報の入力と共に受付ける機器制御指示受付手段と、
上記機器制御指示受付手段が機器制御指示を受付けた場合に、上記機器制御情報、および、上記機器制御指示受付手段が受付けた機器識別情報に対応付けて上記機器・装置記憶手段が記憶している装置識別情報を設定した、上記動作識別情報の通知を要求するための無線信号を送信する第１の無線信号送信手段と、
上記機器制御情報、および、上記第１の無線信号送信手段が無線信号に設定した装置識別情報と一致する装置識別情報が設定された無線信号を受信した場合に、該無線信号に設定されている動作識別情報の一覧を表示する動作一覧表示手段と、
上記動作表示手段が表示した動作識別情報の一覧のうちから、制御すべき動作の動作識別情報の入力を受付ける動作受付手段と、
上記動作受付手段が動作識別情報を受付けた場合に、上記機器制御情報、上記第１の無線信号送信手段が無線信号に設定した装置識別情報、および、上記動作受付手段が受付けた動作識別情報を設定した、機器の動作の制御を要求するための無線信号を送信する第２の無線信号送信手段とを有することを特徴とする、移動電話端末を利用した室内機器制御システム。
【請求項２】
請求項１記載の室内機器制御システムにおいて、
上記移動電話端末の機器・装置記憶手段は、さらに、
上記機器識別情報ごとに、該機器識別情報が示す機器が属する機種を各々識別する機種識別情報を記憶し、
上記移動電話端末の機器制御指示受付手段は、
上記機器制御指示を受付ける機能と、
上記機器制御指示を受付けた場合に、上記機器・装置記憶手段が記憶している機種識別情報の一覧を表示する機能と、
表示した機種識別情報の一覧のうちから、動作を制御すべき機器が属する機種の機種識別情報の入力を受付ける機能と、
上記機種識別情報を受付けた場合に、該機種識別情報に対応付けて上記機器・装置記憶手段が記憶している機器識別情報の一覧を表示する機能と、
表示した機器識別情報の一覧のうちから、動作を制御すべき機器の機器識別情報の入力を受付ける機能とを有することを特徴とする、移動電話端末を利用した室内機器制御システム。
【請求項３】
請求項２記載の室内機器制御システムにおいて、
上記移動電話端末は、
予め定めた複数の機種の機種識別情報を記憶している機種記憶手段を有し、
制御対象とする機器を登録する旨の機器登録指示の入力を受付ける機器登録指示受付手段と、
上記機器登録指示受付手段が機器登録指示を受付けた場合に、登録すべき機器に接続された機器制御装置の装置識別情報の入力を受付ける装置受付手段と、
上記機器登録指示受付手段が機器登録指示を受付けた場合に、上記機種記憶手段が記憶している機種識別情報の一覧を表示する機種表示手段と、
上記機種表示手段が表示した機種識別情報の一覧のうちから、登録すべき機器が属する機種の機種識別情報の入力を受付ける機種受付手段と、
上記機種受付手段が機種識別情報を受付けた場合に、該機種識別情報に対応付けて上記機器・装置記憶手段が記憶している全ての機器識別情報と重複しないように、登録すべき機器の機器識別情報を生成し、生成した機器識別情報を表示する機器表示手段と、
上記機器表示手段が表示した機器識別情報を、登録すべき機器の機器識別情報として承認する旨の入力を受付ける機器受付手段と、
上記機器受付手段が受付けた機器識別情報、上記装置受付手段が受付けた装置識別情報、および、上記機種受付手段が受付けた機種識別情報を、上記機器・装置記憶手段に登録する登録手段とを有することを特徴とする、移動電話端末を利用した室内機器制御システム。
【請求項４】
請求項１，２または３記載の室内機器制御システムにおいて、
移動電話網に接続され、上記室内機器制御システムが構築されたエリアをカバーする室内無線基地局を備え、
上記移動電話網は、
複数の室内機器制御システムを各々識別するシステム識別情報ごとに、該室内機器制御システムが構築されたエリアをカバーする室内無線基地局を各々識別する基地局識別情報を記憶している基地局記憶手段と、
いずれかの移動電話端末から送信されてきた、上記システム識別情報が設定された信号を受信した場合に、該システム識別情報に対応付けて上記基地局記憶手段が記憶している基地局識別情報が示す室内無線基地局と、該移動電話端末との間の通信路を確立する通信路確立手段とを有し、
上記室内無線基地局は、
上記移動電話端末との間の通信路が確立されている場合に、上記機器制御情報が設定された信号を上記移動電話網から受信したならば、該信号を変調した無線信号を送信し、また、上記機器制御情報が設定された無線信号を受信したならば、該無線信号を復調した信号を上記移動電話網に送信する遠隔機器制御仲介手段を有し、
上記移動電話端末は、
自身を備えた室内機器制御システムのシステム識別情報を記憶しているシステム記憶手段を有し、
上記移動電話端末の第１の無線信号送信手段は、さらに、
送信すべき無線信号に、上記システム記憶手段が記憶しているシステム識別情報を設定することを特徴とする、移動電話端末を利用した室内機器制御システム。
【請求項５】
請求項４記載の室内機器制御システムにおいて、
上記機器制御装置は、
自身に接続された機器の動作を上記機器制御手段が制御した場合に、上記機器制御情報、該動作の動作識別情報、および、上記装置記憶手段が記憶している装置識別情報を設定した、制御の完了を通知するための無線信号を送信する制御完了通知手段を有し、
上記移動電話端末は、
上記機器制御情報、および、上記第２の無線信号送信手段が無線信号に設定した装置識別情報と一致する装置識別情報が設定された信号を上記移動電話網から受信した場合に、該信号に設定されている装置識別情報に対応付けて上記機器・装置記憶手段が記憶している機器識別情報、および、該信号に設定されている動作識別情報を表示する制御完了表示手段を有することを特徴とする、移動電話端末を利用した室内機器制御システム。
【請求項６】
１つの機器に接続されて接続された機器の動作を制御する機器制御装置であって、
自身に接続される機器に応じて、該機器の複数の動作を各々識別する動作識別情報を記憶している動作記憶手段と、
自身に対して向けられた無線信号であって、上記動作識別情報の通知を要求するための無線信号を移動電話端末から受信した場合に、該移動電話端末に対して、上記動作記憶手段が記憶している動作識別情報を設定した、該動作識別情報を通知するための無線信号を送信する動作一覧送信手段と、
自身に対して向けられた無線信号であって、機器の動作の制御を要求するための無線信号を移動電話端末から受信した場合に、該無線信号によって要求された動作を行うよう、自身に接続された機器を制御する機器制御手段とを備えたことを特徴とする機器制御装置。
【請求項７】
１つ以上の機器を各々識別する機器識別情報ごとに、該機器に接続されて該機器の動作を制御する機器制御装置を識別する装置識別情報を記憶している機器・装置記憶手段と、
機器の動作を制御する旨の機器制御指示の入力を、動作を制御すべき機器の機器識別情報の入力と共に受付ける機器制御指示受付手段と、
上記機器制御指示受付手段が機器制御指示を受付けた場合に、上記機器制御指示受付手段が受付けた機器識別情報に対応付けて上記機器・装置記憶手段が記憶している装置識別情報が示す機器制御装置に対して、該機器制御装置が制御可能な複数の動作を各々識別する動作識別情報の通知を要求するための無線信号を送信する第１の無線信号送信手段と、
上記第１の無線信号送信手段が無線信号を送信した機器制御装置から返送されてきた無線信号であって、上記動作識別情報を通知するための無線信号を受信した場合に、該無線信号によって通知された動作識別情報の一覧を表示する動作一覧表示手段と、
上記動作表示手段が表示した動作識別情報の一覧のうちから、制御すべき動作の動作識別情報の入力を受付ける動作受付手段と、
上記動作受付手段が動作識別情報を受付けた場合に、上記第１の無線信号送信手段が無線信号を送信した機器制御装置に対して、該動作識別情報を内部に設定した、機器の動作の制御を要求するための無線信号を送信する第２の無線信号送信手段とを備えたことを特徴とする移動電話端末。
【発明の詳細な説明】
【０００１】
【発明の属する技術分野】
本発明は、１つの移動電話端末を用いて、１つ以上の機器の動作を制御することを可能とする室内機器制御システムに関する。
【０００２】
【従来の技術】
一般に、室内に設置される機器のうち、付属のリモコンで動作を制御することが可能な機器としては、テレビ，ビデオ，ステレオ，エアコン等がある。これらの機器においては、リモコンから機器本体に送信される、機器の動作を制御するための信号として、主に赤外線信号が利用されている。
【０００３】
従来は、このような機器が同一室内に多数設置されており、これらの機器の機種が異なる場合や、同じ機種であっても製造メーカが異なる場合には、これらの機器の各々に付属のリモコンが存在することとなるので、ユーザは、動作を制御すべき機器に付属のリモコンを用いて、該機器の動作を制御するための操作を行う必要があった。
【０００４】
一方、学習機能付きリモコンが商品化されており、各機器に付属のリモコンから送信される信号を学習機能付きリモコンに記憶させることで、１つの学習機能付きリモコンを用いて、複数の機器の動作を制御することができるようになっている。
【０００５】
しかしながら、学習機能付きリモコンを用いて動作を制御することが可能な機器は、元々付属のリモコンが存在する機器に限られており、付属のリモコンが存在しない機器の動作を制御することはできない。
【０００６】
また、一方で、公衆電話網を利用して、家庭内に設置された機器の動作を制御する遠隔機器制御サービスを提供する事業が行われている。
【０００７】
具体的には、ユーザが、公衆電話等の電話端末から、公衆電話網を介して、制御すべき動作を指示することで、給湯装置等の予め定めた特定の機器の動作を制御することができるようになっている。
【０００８】
【発明が解決しようとする課題】
上述したように、従来、ユーザは、付属のリモコンで機器の動作を制御する際に、付属のリモコンを有する機器が多数存在する場合には、多数のリモコンも存在するので、操作すべきリモコンを間違えたり、操作すべきリモコンが見つからなかったりするなど、ユーザにとって煩わしさの原因となっている。
【０００９】
また、上述した従来の学習機能付きリモコンを用いる場合には、１つの学習機能付きリモコンで複数の機器の動作を制御することができるが、付属のリモコンが存在しない機器の動作を制御することができないという問題点がある。
【００１０】
ところで、近年、ＰＨＳ（パーソナル・ハンディホン・システム）等の、移動電話網と、移動電話網に接続され、移動電話端末との間で無線信号を送受信する複数の無線基地局とを備えた移動電話システムが普及しつつある。
【００１１】
特に、ＰＨＳは、無線基地局がカバーするエリアが小規模である点を特徴としており、１つの無線基地局を室内無線基地局として家庭内に設置することで、ユーザが、自身の移動電話端末を家庭内でも家庭外でも同様に用いるようにした利用形態を実現することを前提としている。
【００１２】
以上の問題点および背景を鑑みて、本発明者等は、１つの移動電話端末をリモコンとして用いて、１つ以上の機器の動作を制御することを可能とした室内機器制御システムを考案し、本明細書において開示することとした。
【００１３】
具体的には、制御対象とする機器に接続され、接続された機器の動作を制御する機器制御装置を設け、移動電話端末と機器制御装置との間で無線信号を送受信することで、該移動電話端末をリモコンとして用いて、該機器制御装置が接続された機器の動作を制御することを可能とするものである。
【００１４】
これにより、機器の製造メーカが、機器制御装置を接続するための接続端子を機器に設ければ、ユーザは、機器制御装置を入手して、制御対象とする機器に接続させれば、自身の移動電話端末で該機器の動作を制御することができるようになる。なお、機器制御装置の製造は、機器の製造メーカが行っても、機器制御装置専用の製造メーカが行ってもよい。
【００１５】
さらに、移動電話端末を用いることから、ユーザは、制御対象とする機器が設置された室内から離れた場所でも、自身の移動電話端末を用いて、該移動電話端末が存在するエリアをカバーする無線基地局、移動電話網、および、室内無線基地局を介して、該機器の動作を制御することを可能とすることができるようになる。
【００１６】
すなわち、ユーザは、上述した従来の遠隔機器制御サービスのように、予め定めた特定の機器のみの動作を遠隔地から制御するだけではなく、機器制御装置が接続された機器であれば、任意の機器の動作を遠隔地から制御することができるようになる。
【００１７】
さらに、移動電話システムの特徴である、移動電話端末が存在するエリアをカバーする無線基地局を移動電話網が管理する機能（位置登録機能）を利用することで、予め定めた特定の機器については、ユーザの意思に関わらず、移動電話端末を所持しているユーザの移動の仕方に応じて、自動的に、該機器の動作を制御することを可能とすることもできるようになる。
【００１８】
すなわち、上述した従来の遠隔機器制御サービスでは、ユーザが意図して、制御すべき動作を指示する必要があるので、ユーザが指示行為を怠ってしまうと、必要な動作が行われない場合があったが、必要な動作については、ユーザの意思に関わらず、これを確実に行わせることができるようになる。
【００１９】
さらに、移動電話端末を用いることから、遠隔地から機器の動作を制御した場合や、自動的に機器の動作を制御した場合に、室内無線基地局、移動電話網、および、ユーザが所持している移動電話端末が存在するエリアをカバーする無線基地局を介して、該動作が完了した旨をユーザに通知することを可能とすることもできるようになる。
【００２０】
このように、本発明の目的は、１つの移動電話端末をリモコンとして用いて、１つ以上の機器の動作を制御することを可能とした室内機器制御システムを提供することにある。
【００２１】
また、本発明の他の目的は、移動電話端末を所持しているユーザの移動の仕方に応じて、自動的に、予め定めた機器の動作を制御することを可能とした室内機器制御システムを提供することにある。
【００２２】
【課題を解決するための手段】
上記目的を達成するために、本発明は、第１の態様として、
１つの移動電話端末と、１つの機器に接続されて接続された機器の動作を制御する、１つ以上の機器制御装置とを備え、
上記機器制御装置は、
自身を識別する装置識別情報を記憶している装置記憶手段と、
自身に接続される機器に応じて、該機器の複数の動作を各々識別する動作識別情報を記憶している動作記憶手段と、
機器制御用の無線信号である旨を示す機器制御情報、および、上記装置記憶手段が記憶している装置識別情報と一致する装置識別情報が設定された無線信号を受信した場合に、上記動作識別情報の通知が要求されているならば、上記機器制御情報、上記装置記憶手段が記憶している装置識別情報、および、上記動作記憶手段が記憶している動作識別情報を設定した、該動作識別情報を通知するための無線信号を送信する動作一覧送信手段と、
上記機器制御情報、および、上記装置記憶手段が記憶している装置識別情報と一致する装置識別情報が設定された無線信号を受信した場合に、機器の動作の制御が要求されているならば、該無線信号に設定されている動作識別情報が示す動作を行うよう、自身に接続された機器を制御する機器制御手段とを有するようにし、
上記移動電話端末は、
上記機器制御装置が接続された機器を各々識別する機器識別情報ごとに、該機器に接続された機器制御装置の装置識別情報を記憶している機器・装置記憶手段と、
機器の動作を制御する旨の機器制御指示の入力を、動作を制御すべき機器の機器識別情報の入力と共に受付ける機器制御指示受付手段と、
上記機器制御指示受付手段が機器制御指示を受付けた場合に、上記機器制御情報、および、上記機器制御指示受付手段が受付けた機器識別情報に対応付けて上記機器・装置記憶手段が記憶している装置識別情報を設定した、上記動作識別情報の通知を要求するための無線信号を送信する第１の無線信号送信手段と、
上記機器制御情報、および、上記第１の無線信号送信手段が無線信号に設定した装置識別情報と一致する装置識別情報が設定された無線信号を受信した場合に、該無線信号に設定されている動作識別情報の一覧を表示する動作一覧表示手段と、
上記動作表示手段が表示した動作識別情報の一覧のうちから、制御すべき動作の動作識別情報の入力を受付ける動作受付手段と、
上記動作受付手段が動作識別情報を受付けた場合に、上記機器制御情報、上記第１の無線信号送信手段が無線信号に設定した装置識別情報、および、上記動作受付手段が受付けた動作識別情報を設定した、機器の動作の制御を要求するための無線信号を送信する第２の無線信号送信手段とを有するようにした、移動電話端末を利用した室内機器制御システムを提供している。
【００２３】
第１の態様によれば、ユーザは、自身の移動電話端末をリモコンとして用いて、１つ以上の機器の動作を制御することができるようになる。
【００２４】
詳しくは、ユーザは、自身の移動電話端末において、機器の動作を制御する旨の機器制御指示、および、動作を制御すべき機器の機器識別情報を入力すると共に、その後に表示される動作識別情報の一覧のうちから、制御すべき動作の動作識別情報を入力するだけで、自身の移動電話端末をリモコンとして用いて、複数の機器のうちの任意の機器の動作を制御することができるようになる。
【００２５】
なお、上述した第１の態様において、
上記移動電話端末の機器・装置記憶手段は、さらに、
上記機器識別情報ごとに、該機器識別情報が示す機器が属する機種を各々識別する機種識別情報を記憶するようにし、
上記移動電話端末の機器制御指示受付手段は、
上記機器制御指示を受付ける機能と、
上記機器制御指示を受付けた場合に、上記機器・装置記憶手段が記憶している機種識別情報の一覧を表示する機能と、
表示した機種識別情報の一覧のうちから、動作を制御すべき機器が属する機種の機種識別情報の入力を受付ける機能と、
上記機種識別情報を受付けた場合に、該機種識別情報に対応付けて上記機器・装置記憶手段が記憶している機器識別情報の一覧を表示する機能と、
表示した機器識別情報の一覧のうちから、動作を制御すべき機器の機器識別情報の入力を受付ける機能とを有するようにすることができる。
【００２６】
このようにした場合、さらに、
上記移動電話端末は、
予め定めた複数の機種の機種識別情報を記憶している機種記憶手段を有し、
制御対象とする機器を登録する旨の機器登録指示の入力を受付ける機器登録指示受付手段と、
上記機器登録指示受付手段が機器登録指示を受付けた場合に、登録すべき機器に接続された機器制御装置の装置識別情報の入力を受付ける装置受付手段と、
上記機器登録指示受付手段が機器登録指示を受付けた場合に、上記機種記憶手段が記憶している機種識別情報の一覧を表示する機種表示手段と、
上記機種表示手段が表示した機種識別情報の一覧のうちから、登録すべき機器が属する機種の機種識別情報の入力を受付ける機種受付手段と、
上記機種受付手段が機種識別情報を受付けた場合に、該機種識別情報に対応付けて上記機器・装置記憶手段が記憶している全ての機器識別情報と重複しないように、登録すべき機器の機器識別情報を生成し、生成した機器識別情報を表示する機器表示手段と、
上記機器表示手段が表示した機器識別情報を、登録すべき機器の機器識別情報として承認する旨の入力を受付ける機器受付手段と、
上記機器受付手段が受付けた機器識別情報、上記装置受付手段が受付けた装置識別情報、および、上記機種受付手段が受付けた機種識別情報を、上記機器・装置記憶手段に登録する登録手段とを有するようにすることができる。
【００２７】
これにより、ユーザは、任意の機器を、制御対象とする機器として、自身の移動電話端末に登録することができるようになる。
【００２８】
すなわち、機器の製造メーカが、機器制御装置を接続するための接続端子を機器に設ければ、ユーザは、制御対象とする機器に応じた機器制御装置を入手して、該機器に接続させると共に、該機器を制御対象として自身の移動電話端末に登録することで、自身の移動電話端末をリモコンとして用いて、該機器の動作を制御することができるようになる。
【００２９】
また、本発明は、第２の態様として、上述した第１の態様において、
移動電話網に接続され、上記室内機器制御システムが構築されたエリアをカバーする室内無線基地局を備え、
上記移動電話網は、
複数の室内機器制御システムを各々識別するシステム識別情報ごとに、該室内機器制御システムが構築されたエリアをカバーする室内無線基地局を各々識別する基地局識別情報を記憶している基地局記憶手段と、
いずれかの移動電話端末から送信されてきた、上記システム識別情報が設定された信号を受信した場合に、該システム識別情報に対応付けて上記基地局記憶手段が記憶している基地局識別情報が示す室内無線基地局と、該移動電話端末との間の通信路を確立する通信路確立手段とを有するようにし、
上記室内無線基地局は、
上記移動電話端末との間の通信路が確立されている場合に、上記機器制御情報が設定された信号を上記移動電話網から受信したならば、該信号を変調した無線信号を送信し、また、上記機器制御情報が設定された無線信号を受信したならば、該無線信号を復調した信号を上記移動電話網に送信する遠隔機器制御仲介手段を有するようにし、
上記移動電話端末は、
自身を備えた室内機器制御システムのシステム識別情報を記憶しているシステム記憶手段を有するようにし、
上記移動電話端末の第１の無線信号送信手段は、さらに、
送信すべき無線信号に、上記システム記憶手段が記憶しているシステム識別情報を設定するようにした、移動電話端末を利用した室内機器制御システムを提供している。
【００３０】
第２の態様によれば、ユーザは、上述した第１の態様における操作と同様の操作で、制御対象とする機器が設置された室内から離れた場所でも、自身の無線電話端末を用いて、該機器の動作を制御することができるようになる。
【００３１】
なお、上述した第２の態様において、
上記機器制御装置は、
自身に接続された機器の動作を上記機器制御手段が制御した場合に、上記機器制御情報、該動作の動作識別情報、および、上記装置記憶手段が記憶している装置識別情報を設定した、制御の完了を通知するための無線信号を送信する制御完了通知手段を有するようにし、
上記移動電話端末は、
上記機器制御情報、および、上記第２の無線信号送信手段が無線信号に設定した装置識別情報と一致する装置識別情報が設定された信号を上記移動電話網から受信した場合に、該信号に設定されている装置識別情報に対応付けて上記機器・装置記憶手段が記憶している機器識別情報、および、該信号に設定されている動作識別情報を表示する制御完了表示手段を有するようにすることができる。
【００３２】
これにより、ユーザは、遠隔地から機器の動作を制御した場合に、該動作が完了した旨を知ることができるようになる。
【００４１】
【発明の実施の形態】
以下、本発明の実施の形態について図面を参照して説明する。
【００４２】
まず、本発明の第１の実施形態の室内機器制御システムについて説明する。
【００４３】
第１の実施形態は、１つの移動電話端末を、室内で、１つ以上の機器の動作を制御するためのリモコンとして用いることを可能とするものである。
【００４４】
このために、第１の実施形態においては、制御対象とする１つ以上の機器の各々に、該機器の動作を制御するための機器制御装置を接続し、移動電話端末は、ユーザの操作に従って、実際に動作を制御すべき機器に接続された機器制御装置との間で無線信号を送受信することで、該機器の動作を制御するようにしている。
【００４５】
図１は第１の実施形態の室内機器制御システムの構成図である。
【００４６】
図中、１０１は移動電話端末、１０２は室内無線基地局、１０３ａは機器制御装置Ａ、１０３ｂは機器制御装置Ｂ、１０３ｃは機器制御装置Ｃ、１０４ａは機器Ａ、１０４ｂは機器Ｂ、１０４ｃは機器Ｃ、１０５は移動電話網である。
【００４７】
図１において、室内無線基地局１０２は、移動電話網１０５に接続されており、移動電話端末１０１は、室内無線基地局１０２との間で無線信号を送受信することにより、移動電話網１０５を介して相手先と通話することができる。
【００４８】
また、図１において、機器制御装置Ａ（１０３ａ）は、機器Ａ（１０４ａ）に接続され、移動電話端末１０１との間で無線信号を送受信し、移動電話端末１０１から送信されてくる無線信号に従って、機器Ａ（１０４ａ）の動作を制御するものである。
【００４９】
同様に、機器制御装置Ｂ（１０３ｂ）は、機器Ｂ（１０４ｂ）に接続され、移動電話端末１０１との間で無線信号を送受信し、移動電話端末１０１から送信されてくる無線信号に従って、機器Ｂ（１０４ｂ）の動作を制御するものである。
【００５０】
同様に、機器制御装置Ｃ（１０３ａ）は、機器Ｃ（１０４ｃ）に接続され、移動電話端末１０１との間で無線信号を送受信し、移動電話端末１０１から送信されてくる無線信号に従って、機器Ｃ（１０４ｃ）の動作を制御するものである。
【００５１】
例えば、機器Ａ（１０４ａ），機器Ｂ（１０４ｂ），機器Ｃ（１０４ｃ）は、各々、テレビ，ステレオ，ラジオ，エアコン，照明機器，給湯装置，施錠装置，火災感知装置，防犯監視装置等に相当している。なお、２台のテレビが存在する場合など、同じ機種の機器１０４が複数存在する場合でも、１つの機器１０４に１つの機器制御装置１０３が接続されるものとする。
【００５２】
図２は移動電話端末１０１の構成例を示す図である。
【００５３】
図２に示すように、移動電話端末１０１は、マイク２０１と、スピーカ２０２と、音声符号化部２０３と、チャネルコーデック部２０４と、復調部２０５と、変調部２０６と、高周波（ＲＦ）部２０７と、アンテナ２０８と、バス２０９と、制御部２１０と、記憶部２１１と、表示部２１２と、操作部２１３とを備えて構成されている。
【００５４】
第１の実施形態の特徴であるリモコンとしての機能は、制御部２１０が記憶部２１１に記憶されたプログラムを実行することで実現される。また、このプログラムを実行する際に必要な各種データ（詳細は後述する。）も、記憶部２１１に記憶されている。
【００５５】
図３は機器制御装置１０３の構成例を示す図である。
【００５６】
図３に示すように、機器制御装置１０３は、自身に接続される機器１０４との間を接続する接続端子３０１と、機器インタフェース部３０２と、チャネルコーデック部３０３と、復調部３０４と、変調部３０５と、高周波（ＲＦ）部３０６と、アンテナ３０７と、バス３０８と、制御部３０９と、記憶部３１０とを備えて構成されている。
【００５７】
記憶部３１０には、図４（ａ）に示すように、機器制御装置１０３自身を識別するための装置ＩＤを格納した装置テーブル４００が、予め記憶されている。
【００５８】
なお、第１の実施形態においては、機器制御装置１０３が、特定の機器１０４の動作を専用に制御するものとしている。すなわち、例えば、Ａ社製造のテレビ専用の機器制御装置１０３，Ｂ社製造のテレビ専用の機器制御装置１０３，Ｃ社製造のステレオ専用の機器制御装置１０３，Ｄ社製造のステレオ専用の機器制御装置１０３というように、機器１０４に応じた機器制御装置１０３が製品化され、ユーザは、自身のニーズに応じた機器制御装置１０３を入手し、制御対象とする機器１０４に接続させるようにしている。
【００５９】
このことから、機器１０４の製造メーカが、機器制御装置１０３を接続するための接続端子を機器１０４に設ければ、ユーザは、付属のリモコンを入手する必要がなくなる。さらに、機器１０４の製造メーカが、機器制御装置１０３を機器に内蔵させれば、ユーザは、機器制御装置１０３を入手する必要もなくなる。なお、機器制御装置の製造は、機器の製造メーカが行っても、機器制御装置専用の製造メーカが行ってもよい。
【００６０】
そこで、記憶部３１０には、さらに、図４（ｂ）に示すように、機器制御装置１０３自身に接続される機器１０４に応じて、該機器１０４の複数の動作を各々識別するための動作ＩＤを格納した動作テーブル４０１が、予め記憶されており、また、これらの動作ＩＤが各々示す動作を機器１０４に行わせるために必要な処理手順を記述した、制御部３０９が実行するプログラムが、予め記憶されている。
【００６１】
図５は室内無線基地局１０２の構成例を示す図である。
【００６２】
図５に示すように、室内無線基地局１０２は、回線インタフェース部５０１と、音声符号化部５０２と、チャネルコーデック部５０３と、復調部５０４と、変調部５０５と、アンテナ５０６と、高周波（ＲＦ）部５０７と、バス５０８と、制御部５０９と、記憶部５１０とを備えて構成されている。
【００６３】
記憶部５１０には、通話機能を実現するために必要な処理手順を記述した、制御部５０９が実行するプログラムが、予め記憶されている。
【００６４】
次に、第１の実施形態の動作およびユーザの操作について説明する。
【００６５】
まず、移動電話端末１０１の記憶部２１１に記憶されている各種データについて説明する。
【００６６】
移動電話端末１０１の記憶部２１１には、図６（ａ）に示すように、予め定めた複数の機種を各々識別するための機種ＩＤを格納した機種テーブル６００が、予め記憶されている。
【００６７】
また、移動電話端末１０１の記憶部２１１には、図６（ｂ）に示すように、機器制御装置１０３が接続された機器１０４を各々識別するための機器ＩＤごとに、該機器ＩＤが示す機器１０４が属する機種の機種ＩＤと、該機器ＩＤが示す機器１０４に接続された機器制御装置１０３の装置ＩＤとを格納した機器・機種・装置テーブル６０１が、予め記憶されている。
【００６８】
なお、機器・機種・装置テーブル６０１の内容は、後述するように、ユーザの操作によって登録されるものである。
【００６９】
さて、ユーザは、自身の移動電話端末１０１をリモコンとして用い、機器制御装置１０３が接続された機器１０４のうちの、所望の機器１０４の動作を制御したい場合に、まず、移動電話端末１０１の操作部２１３に設けられた特定のキー（例えば、機器制御キー）を押下することで、その旨の機器制御指示を入力する。
【００７０】
移動電話端末１０１は、図７に示すように、ユーザが入力した指示を受付けると（ステップ７０１）、受付けた指示が機器制御指示である場合には（ステップ７０２）、動作を制御すべき機器１０４が属する機種の機種ＩＤをユーザが入力することを可能とするために、図８（ａ）に示すように、機器・機種・装置テーブル６０１に格納されている全ての機種ＩＤの一覧を、表示部２１２に表示する（ステップ７０３）。
【００７１】
ユーザは、表示部２１２に表示された機種ＩＤの一覧のうちから、動作を制御すべき機器１０４が属する機種ＩＤを選択指示し、特定のキー（例えば、決定キー）を押下することで、選択指示した機種ＩＤを入力する。図８（ａ）では、ユーザが「エアコン」を入力した例を示している。
【００７２】
移動電話端末１０１は、ユーザが入力した機種ＩＤを受付けると（ステップ７０４）、動作を制御すべき機器１０４の機器ＩＤをユーザが入力することを可能とするために、図８（ｂ）に示すように、機器・機種・装置テーブル６０１に格納されている機器ＩＤのうちの、ステップ７０４で受付けた機種ＩＤと同じ機種ＩＤに対応する全ての機器ＩＤの一覧を、表示部２１２に表示する（ステップ７０５）。
【００７３】
ユーザは、表示部２１２に表示された機器ＩＤの一覧のうちから、動作を制御すべき機器１０４の機器ＩＤを選択指示し、決定キーを押下することで、選択指示した機器ＩＤを入力する。図８（ｂ）では、ユーザが「エアコンＡ」を入力した例を示している。
【００７４】
移動電話端末１０１は、ユーザが入力した機器ＩＤを受付けると（ステップ７０６）、図９（ａ）に示すように、機器制御用の無線信号である旨を示す機器制御情報と、機器・機種・装置テーブル６０１に格納されている装置ＩＤのうちの、ステップ７０６で受付けた機器ＩＤに対応する装置ＩＤとを設定した無線信号（以下、「機器制御指示信号」と称す。）を作成し（ステップ７０７）、作成した機器制御指示信号を送信する（ステップ７０８）。
【００７５】
なお、移動電話端末１０１は、移動電話端末１０１の操作部２１３に設けられた特定のキー（例えば、送信キー）をユーザが押下することを契機として、機器制御指示信号を送信するようにしてもよい。
【００７６】
その後は、動作を制御すべき機器１０４に接続された機器制御装置１０３から、後述するように、機器制御情報，装置ＩＤ，動作ＩＤが設定された無線信号（以下、「動作一覧信号」と称す。）が送信されてくることとなる。
【００７７】
そこで、移動電話端末１０１は、無線信号を受信した場合に（ステップ７０９）、受信した無線信号に、機器制御情報と、ステップ７０７で機器制御指示信号に設定した装置ＩＤと一致する装置識別情報とが設定されているならば（ステップ７１０）、受信した無線信号が、動作を制御すべき機器１０４に接続された機器制御装置１０３から送信された動作一覧信号であることを意味しているので、制御すべき動作の動作ＩＤをユーザが入力することを可能とするために、図８（ｃ）に示すように、該動作一覧信号に設定されている動作ＩＤの一覧を、表示部２１２に表示する（ステップ７１１）。
【００７８】
ユーザは、表示部２１２に表示された動作ＩＤのうちから、制御すべき動作の動作ＩＤを選択指示し、決定キーを押下することで、選択指示した動作ＩＤを入力する。図８（ｃ）では、ユーザが「電源入」を入力した例を示している。
【００７９】
移動電話端末１０１は、ユーザが入力した動作ＩＤを受付けると（ステップ７１２）、図９（ｂ）に示すように、機器制御情報と、機器・機種・装置テーブル６０１に格納されている装置ＩＤのうちの、ステップ７０６で受付けた機器ＩＤに対応する装置ＩＤと、ステップ７１２で受付けた動作ＩＤとを設定した無線信号（以下、「動作指示信号」と称す。）を作成し（ステップ７１３）、作成した動作指示信号を送信してから（ステップ７１４）、ステップ７０１に戻る。
【００８０】
なお、ユーザは、複数の動作ＩＤを１度に選択指示するようにしてもよく、このようにした場合、移動電話端末１０１は、受付けた複数の動作ＩＤを１つの動作指示信号に設定するようにしても、受付けた動作ＩＤごとに、動作指示信号を作成して送信するようにしてもよい。
【００８１】
また、移動電話端末１０１は、移動電話端末１０１の操作部２１３に設けられた特定のキー（例えば、送信キー）をユーザが押下することを契機として、動作指示信号を送信するようにしてもよい。
【００８２】
一方、機器制御装置１０３は、図１０に示すように、無線信号を受信した場合に（ステップ１００１）、受信した無線信号に、機器制御情報と、装置テーブル４００に格納されている装置ＩＤと一致する装置ＩＤとが設定されているか否かを判定する（ステップ１００２）。
【００８３】
受信した無線信号に、機器制御情報と、装置テーブル４００に格納されている装置ＩＤと一致する装置ＩＤとが設定されていない場合には、自身に対して向けられた無線信号でないことを意味しているので、ステップ１００１に戻る。
【００８４】
続いて、機器制御装置１０３は、受信した無線信号に、動作ＩＤが設定されていないならば（ステップ１００３）、機器制御指示信号であることを意味しているので、図９（ｃ）に示すように、機器制御情報と、装置テーブル４００に格納されている装置ＩＤと、動作テーブル４０１に格納されている動作ＩＤとを設定した動作一覧信号を作成し（ステップ１００４）、作成した一覧信号を送信してから（ステップ１００５）、ステップ１００１に戻る。
【００８５】
また、機器制御装置１０３は、受信した無線信号に、動作ＩＤが設定されているならば（ステップ１００３）、動作指示信号であることを意味しているので、該動作指示信号に設定されている動作ＩＤが示す動作を行うよう、自身に接続された機器１０４を制御してから（ステップ１００６）、ステップ１００１に戻る。
【００８６】
これにより、ユーザは、室内で、自身の移動電話端末１０１をリモコンとして用いて、複数の機器１０４のうちの任意の機器１０４の動作を制御することができるようになる。
【００８７】
次に、機器・機種・装置テーブル６０１の内容を登録する際の動作およびユーザの操作について説明する。
【００８８】
ユーザは、自身の移動電話端末１０１をリモコンとして用いるためには、実際には、制御対象とする機器１０４に、該機器１０４に応じた機器制御装置１０３を接続させると共に、該機器１０４を制御対象として移動電話端末１０１に登録する必要がある。
【００８９】
そこで、ユーザは、所望の機器１０４を制御対象として移動電話端末１０１に登録したい場合に、まず、移動電話端末１０１の操作部２１３に設けられた特定のキー（例えば、登録キー）を押下することで、その旨の機器登録指示を入力する。
【００９０】
移動電話端末１０１は、図７に示すように、ユーザが入力した指示を受付けると（ステップ７０１）、受付けた指示が機器登録指示である場合には（ステップ７０２）、図１１に示す動作を実行する。
【００９１】
すなわち、移動電話端末１０１は、登録すべき機器１０４が属する機種の機種ＩＤをユーザが入力することを可能とするために、図１２（ａ）に示すように、機種テーブル６００に格納されている全ての機種ＩＤの一覧を、表示部２１２に表示する（ステップ１１０１）。
【００９２】
ユーザは、表示部２１２に表示された機種ＩＤの一覧のうちから、登録すべき機器１０４が属する機種ＩＤを選択指示し、決定キーを押下することで、選択指示した機種ＩＤを入力する。図１２（ａ）では、ユーザが「エアコン」を入力した例を示している。
【００９３】
移動電話端末１０１は、ユーザが入力した機種ＩＤを受付けると（ステップ１１０２）、機器・機種・装置テーブル６０１に格納されている機器ＩＤのうちの、受付けた機種ＩＤと同じ機種ＩＤに対応する全ての機器ＩＤと重複しないような、新たな機器ＩＤを生成し（ステップ１１０３）、生成した機器ＩＤを、表示部２１２に表示する（ステップ１１０４）。
【００９４】
具体的には、「エアコン」という機種ＩＤに対応する機器ＩＤとして、「エアコンＡ」および「エアコンＢ」が既に機器・機種・装置テーブル６０１に格納されている場合には、登録すべき機器１０４の機器ＩＤをユーザが入力することを可能とするために、図１２（ｂ）に示すように、「エアコンＣ」という機器ＩＤを生成し、表示部２１２に表示する。
【００９５】
ユーザは、表示部２１２に表示された機器ＩＤを、登録すべき機器１０４の機器ＩＤとして承認するならば、決定キーを押下する。図１２（ｂ）では、ユーザが「エアコンＣ」を承認（入力）した例を示している。
【００９６】
移動電話端末１０１は、ユーザが入力した機器ＩＤを受付けると（ステップ１１０５）、登録すべき機器１０４に接続された機器制御装置１０３の装置ＩＤをユーザが入力することを可能とするために、図１２（ｃ）に示すように、装置ＩＤの入力を促すメッセージを、表示部２１２に表示する（ステップ１１０６）。
【００９７】
ユーザは、表示部２１２に表示されたメッセージに従って、登録すべき機器１０４に接続された機器制御装置１０３の装置ＩＤを、操作部２１３から入力し、決定キーを押下する。図１２（ｃ）では、ユーザが「０１２３××」を入力した例を示している。
【００９８】
なお、装置ＩＤは、ユーザが機器制御装置１０３を入手した際に、ユーザに分かる形式で提示されているものである。
【００９９】
移動電話端末１０１は、ユーザが入力した装置ＩＤを受付けると（ステップ１１０７）、受付けた装置ＩＤと、ステップ１１０２で受付けた機種ＩＤと、ステップ１１０５で受付けた機器ＩＤとを機器・機種・装置テーブル６０１に登録してから（ステップ１１０８）、ステップ７０１に戻る。
【０１００】
これにより、ユーザは、任意の機器１０４を、自身の移動電話端末１０１に制御対象として登録することができるようになる。
【０１０１】
以上説明したように、第１の実施形態によれば、１つの移動電話端末１０１を、室内で、１つ以上の機器１０４の動作を制御するためのリモコンとして用いることが可能となる。
【０１０２】
なお、第１の実施形態においては、ユーザが機器制御キーを押下することで、機器制御指示を入力するようにしているので、通話時のユーザの操作は、従来と同様の操作となる。
【０１０３】
また、第１の実施形態において、室内無線基地局１０２の構成は、従来と相違ないが、移動電話端末１０１がリモコンとして用いられるときに、移動電話端末１０１と機器制御装置１０３との間で送受信される無線信号が、室内無線基地局１０２にも届くので、室内無線基地局１０２の誤動作を防止するために、受信した無線信号に機器制御情報が設定されている場合には、該無線信号を無視するようにした処理手順を、記憶部５１０に記憶されているプログラムに記述するようにしてもよい。
【０１０４】
また、第１の実施形態において、室内無線基地局１０２が、機器制御装置１０３の動作と同様の動作を実現するために必要な処理手順を記述したプログラム、および、機器制御装置１０３が記憶しているデータと同様のデータを、記憶部５１０に記憶するようにし、制御部５０９が該データを用いて該プログラムを実行するようにすれば、ユーザは、室内無線基地局１０２にも機器１０４を接続させ、自身の移動電話端末１０１で、該機器１０４の動作を制御するようにすることができる。
【０１０５】
また、第１の実施形態において、移動電話端末１０１および機器制御装置１０３は、室内無線基地局１０２を介して、無線信号（機器制御指示信号，動作一覧信号，動作指示信号）を送受信するようにしてもよい。
【０１０６】
また、第１の実施形態においては、動作を制御すべき機器１０４を選択指示する際のユーザの操作性を向上させるために、機器ＩＤに加えて、該機器ＩＤが示す機器１０４が属する機種の機種ＩＤを用いるようにしているが、機種ＩＤを用いなくてもよい。
【０１０７】
次に、本発明の第２の実施形態の室内機器制御システムについて説明する。
【０１０８】
第２の実施形態の室内機器制御システムの構成図は、図１と同様であり、第２の実施形態も、第１の実施形態と同様に、１つの移動電話端末１０１を、室内で、１つ以上の機器１０４の動作を制御するためのリモコンとして用いることを可能とするものである。
【０１０９】
このために、第２の実施形態においても、第１の実施形態と同様に、制御対象とする１つ以上の機器１０４の各々に、該機器１０４の動作を制御するための機器制御装置１０３を接続し、移動電話端末１０１は、ユーザの操作に従って、実際に動作を制御すべき機器１０４に接続された機器制御装置１０３との間で無線信号を送受信することで、該機器１０４の動作を制御するようにしている。
【０１１０】
さらに、第２の実施形態は、機器１０４が設置された室内から離れた場所でも、移動電話端末１０１で、該機器１０４の動作を遠隔地から制御することを可能とするものである。
【０１１１】
このために、第２の実施形態においては、移動電話網１０５は、機器１０４が設置された室内から離れた場所に存在する移動電話端末１０１と、該移動電話端末１０１に対応する室内機器制御システムが構築されたエリアをカバーしている室内無線基地局１０２との間に、通信路を確立するようにしている。また、室内無線基地局１０２は、自身との間に通信路が確立されている移動電話端末１０１が、室内に設置された機器１０４が接続された機器制御装置１０３との間で無線信号を送受信する際の仲介を行うようにしている。
【０１１２】
さて、第２の実施形態において、移動電話端末１０１の構成例を示す図は、図２と同様である。
【０１１３】
第２の実施形態の特徴でもあるリモコンとしての機能は、制御部２１０が記憶部２１１に記憶されたプログラムを実行することで実現される。また、制御部２１１がこのプログラムを実行する際に必要な各種データ（詳細は後述する。）も、記憶部２１１に記憶されている。
【０１１４】
また、第２の実施形態において、機器制御装置１０３の構成例を示す図は、図３と同様である。
【０１１５】
記憶部３１０には、図４（ａ）に示した装置テーブル４００が、予め記憶されている。
【０１１６】
なお、第２の実施形態においても、第１の実施形態と同様に、機器制御装置１０３が、特定の機器１０４の動作を専用に制御するものとしている。
【０１１７】
そこで、記憶部３１０には、さらに、図４（ｂ）に示した動作テーブル４０１が、予め記憶されており、また、動作テーブル４０１に格納された動作ＩＤが各々示す動作を機器１０４に行わせるために必要な処理手順を記述した、制御部３０９が実行するプログラムが、予め記憶されている。
【０１１８】
また、第２の実施形態において、室内無線基地局１０２の構成例を示す図は、図５と同様である。
【０１１９】
記憶部５１０には、通話機能を実現するために必要な処理手順を記述した、制御部５０９が実行するプログラムに加えて、第２の実施形態の特徴である遠隔制御機能を実現するために必要な処理手順を記述した、制御部５０９が実行するプログラムが、予め記憶されている。
【０１２０】
次に、第２の実施形態の動作およびユーザの操作について説明する。
【０１２１】
まず、移動電話端末１０１の記憶部２１１に記憶されている各種データについて説明する。
【０１２２】
移動電話端末１０１の記憶部２１１には、図６（ａ）に示した機種テーブル６００、および、図６（ｂ）に示した機器・機種・装置テーブル６０１が、予め記憶されている。
【０１２３】
また、移動電話端末１０１の記憶部２１１には、図６（ｃ）に示すように、自身に対応する室内機器制御システムを識別するためのシステムＩＤを格納したシステムテーブル６０２が、予め記憶されている。
【０１２４】
なお、機器・機種・装置テーブル６０１の内容は、第１の実施形態で説明したように、ユーザの操作によって登録されるものである。すなわち、機器・機種・装置テーブル６０１の内容を登録する際の動作およびユーザの操作は、第１の実施形態と同様である。
【０１２５】
さて、室内で、ユーザが移動電話端末１０１をリモコンとして用いる際の動作およびユーザの操作は、第１の実施形態と同様である。
【０１２６】
ただし、移動電話端末１０１は、図７のステップ７０７で、図９（ｄ）に示すように、機器制御情報および装置ＩＤに加えて、システムテーブル６０２に格納されているシステムＩＤを設定した機器制御指示信号を作成するようにする。
【０１２７】
次に、機器１０４が設置された室内から離れた場所（室内無線基地局１０２がカバーするエリア以外の場所）で、ユーザが移動電話端末１０１を用いて機器１０４の動作を遠隔制御する際の動作およびユーザの操作について説明する。
【０１２８】
この際のユーザの操作および移動電話端末１０１の動作は、室内で、ユーザが移動電話端末１０１をリモコンとして用いる際の動作と同様であるが、移動電話端末１０１は、少なくとも、機器制御指示信号を送信する前（図７のステップ７１０の前）に、移動電話網１０５との間を接続するために、移動電話網１０５に対して発信する必要がある。
【０１２９】
これは、例えば、予め定めた特定の電話番号を、遠隔制御を行うための専用の電話番号（以下、「遠隔制御特番」と称す。）として確保しておき、移動電話端末１０１が、遠隔制御特番を自動的にダイヤルするようにすることができる。なお、ユーザが、遠隔制御特番をダイヤルするようにしてもよい。
【０１３０】
また、第２の実施形態において、移動電話網１０５は、図１３に示すように、複数の室内機器制御システムのシステムＩＤごとに、該室内機器制御システムが構築されたエリアをカバーする室内無線基地局１０２を各々識別するための基地局ＩＤを格納した、基地局テーブル１３００を、内部の記憶部に記憶するようにしている。
【０１３１】
そして、移動電話網１０５は、従来の動作に加えて、図１４に示す動作を行うようにしている。
【０１３２】
すなわち、移動電話網１０５は、図１４に示すように、いずれかの移動電話端末１０１から遠隔制御特番に着信があると（ステップ１４０１）、その後は、該移動電話端末１０１から機器制御指示信号（実際には、機器制御指示信号が、該移動電話端末１０１が存在するエリアをカバーする無線基地局によって復調された信号である。）が送信されてくることとなる。
【０１３３】
そこで、移動電話網１０５は、信号を受信した場合に（ステップ１４０２）、受信した信号にシステムＩＤが設定されているならば（ステップ１４０３）、移動電話端末１０１から送信された機器制御指示信号であることを意味しているので、基地局テーブル１３００に格納されている基地局ＩＤのうちから、受信した機器制御指示信号に設定されているシステムＩＤに対応する基地局ＩＤを求め（ステップ１４０４）、求めた基地局ＩＤが示す室内無線基地局１０２と、発信元の移動電話端末１０１との間の通信路を確立する（ステップ１４０５）。
【０１３４】
なお、ステップ１４０５の後に、図示していないが、実際には、移動電話網１０５は、移動電話端末１０１がオンフックすると、確立していた通話路を切断するようになっている。
【０１３５】
また、第２の実施形態において、室内無線基地局１０２は、従来の動作に加えて、以下に説明する動作を行うようにしている。
【０１３６】
すなわち、室内無線基地局１０２は、移動電話網１０５によって移動電話端末１０１との間の通信路が確立されると、移動電話網１０５から受信した信号に機器制御情報が設定されている場合には、該移動電話端末１０１から移動電話網１０５を介して送信された機器制御指示信号または動作指示信号であることを意味しているので、受信した信号を変調した無線信号を送信し、また、受信した無線信号に機器制御情報が設定されている場合には、機器制御装置１０３から送信された動作一覧信号であることを意味しているので、受信した無線信号を復調して移動電話網１０５に送信することで、該移動電話端末１０１と機器制御装置１０３との間で無線信号を送受信する際の仲介を行う。
【０１３７】
なお、室内無線基地局１０２は、移動電話網１０５から受信した信号および受信した無線信号に、機器制御情報が設定されていないならば、自身がカバーするエリアに存在する移動電話端末１０１とその相手先との間で通話時に送受信される信号および無線信号であることを意味しているので、従来の動作と同様の動作を行うこととなる。
【０１３８】
これにより、ユーザは、上述した第１の実施形態における操作と同様の操作で、機器１０４が設置された室内から離れた場所でも、自身の移動電話端末１０１を用いて、該機器１０４の動作を遠隔地から制御することができるようになる。
【０１３９】
以上説明したように、第２の実施形態によれば、１つの移動電話端末１０１を、室内で、１つ以上の機器１０４の動作を制御するためのリモコンとして用いることが可能となると共に、機器１０４が設置された室内から離れた場所でも、移動電話端末１０１で、室内に設置された１つ以上の機器１０４の動作を制御することが可能となる。
【０１４０】
なお、第２の実施形態においては、ユーザが、動作を制御すべき機器１０４から離れた場所にいるので、自身が意図した通りの動作が行われたか否かを確認することが不可能である
そこで、機器制御装置１０３が、自身に接続された機器１０４の動作を制御した場合に、その旨を、移動電話端末１０１のユーザに通知するようにすることが好ましい。
【０１４１】
以下、このようにした実施形態を、第３の実施形態として、第２の実施形態と異なる点についてのみ説明する。
【０１４２】
第３の実施形態においては、機器制御装置１０３は、自身に接続された機器１０４の動作を制御した後（図１０のステップ１００６の後）に、機器制御情報と、該動作の動作ＩＤと、装置テーブル４００に格納されている装置ＩＤとを設定した無線信号（以下、「制御完了信号」と称す。）を作成し、作成した制御完了信号を送信するようにする。
【０１４３】
機器制御装置１０３から送信された制御完了信号は、第２の実施形態で説明したように、室内無線基地局１０２によって復調されて移動電話網１０５に送信されるので、移動電話端末１０１は、移動電話網１０５から制御完了信号（実際には、制御完了信号が、該移動電話端末１０１が存在するエリアをカバーする無線基地局によって変調された無線信号である。）を受信することとなる。
【０１４４】
そこで、第３の実施形態においては、移動電話端末１０１は、動作指示信号を送信した後（図７のステップ７１４の後）に、移動電話網１０５から信号を受信した場合に、受信した信号に、機器制御情報、および、図７のステップ７１３で動作指示信号に設定した装置ＩＤと一致する装置ＩＤが設定されているならば、受信した信号が、動作を制御した機器１０４に接続された機器制御装置１０３から送信された制御完了信号であることを意味しているので、機器・機種・装置テーブル６０１に格納されている機器ＩＤおよび機種ＩＤのうちから、該制御完了信号に設定されている装置ＩＤに対応する機器ＩＤおよび機種ＩＤを求め、求めた機器ＩＤおよび機種ＩＤを、表示部２１２に表示すると共に、該制御完了信号に設定されている動作ＩＤを、表示部２１２に表示するようにする。
【０１４５】
以上説明したように、第３の実施形態によれば、ユーザは、自身の移動電話端末１０１を用いて、遠隔地から機器１０４の動作を制御した場合に、該動作が完了した旨を知ることができるようになる。
【０１４６】
なお、第３の実施形態において、機器制御装置１０３は、自身に接続された機器１０４の動作を制御した後（図１０のステップ１００６の後）に、該機器１０４に何らかの障害が発生し、制御すべき動作が行われなかったことを検知した場合には、その旨を示す情報を、制御完了信号に設定するようにすることが好ましい。
【０１４７】
ところで、上述したいずれの実施形態においても、移動電話端末１０１をリモコンとして用いることを特徴としているので、第２の実施形態および第３の実施形態で説明したように、ユーザは、外出時に、自身が所持している移動電話端末１０１を用いて、室内に設置された機器１０４の動作を制御することが可能となっている。
【０１４８】
しかしながら、外出時に所持するには多少の不便があるが、リモコンとしての機能を実現するための動作を行う専用の装置（以下、「機器制御指示装置」と称す。）を設けるようにし、１つの機器制御指示装置を用いて、１つ以上の機器１０４の動作を制御するようにすることもできる。
【０１４９】
このようにする場合、機器制御指示装置の構成例は、移動電話端末１０１の構成要素のうちから、通話機能のみを実現するために必要な構成要素を除いたものとすることができる。
【０１５０】
そして、機器制御指示装置は、リモコンとしての機能を実現するための動作を行う専用の装置であることから、機器制御指示をユーザが入力する必要はなく、機種ＩＤの一覧を表示した状態を、機器制御指示装置の初期状態とすればよい。
【０１５１】
なお、この機器制御指示装置は、上述した従来の学習機能付きリモコンとは異なり、付属のリモコンが存在しない機器１０４であっても、その動作を制御することが可能である。
【０１５２】
さらに、上述したいずれの実施形態も、既存の移動電話システムが備えた移動電話端末１０１や室内無線基地局１０２や移動電話網１０５を利用して構築するようにしているので、移動電話システムの特徴である、移動電話端末１０１が存在するエリアをカバーする無線基地局を移動電話網１０５が管理する機能（位置登録機能）を利用することで、予め定めた特定の機器１０４については、ユーザの意思に関わらず、移動電話端末１０１を所持しているユーザの移動の仕方に応じて、自動的に、該機器１０４の動作を制御するようにすることができる。
【０１５３】
以下、このようにした実施形態を、第４の実施形態として説明する。
【０１５４】
第４の実施形態の室内機器制御システムの構成図は、図１と同様であり、第４の実施形態も、第１の実施形態と同様に、１つの移動電話端末１０１を、室内で、１つ以上の機器１０４の動作を制御するためのリモコンとして用いることを可能とするものである。
【０１５５】
このために、第４の実施形態においても、第１の実施形態と同様に、制御対象とする１つ以上の機器１０４の各々に、該機器１０４の動作を制御するための機器制御装置１０３を接続し、移動電話端末１０１は、ユーザの操作に従って、実際に動作を制御すべき機器１０４に接続された機器制御装置１０３との間で無線信号を送受信することで、該機器１０４の動作を制御するようにしている。
【０１５６】
さらに、第４の実施形態は、予め定めた特定の機器１０４については、ユーザの意思に関わらず、移動電話端末１０１を所持しているユーザが、該機器１０４が設置された室内から離れていった場合に、自動的に、該機器１０４の動作を制御することを可能とするものである。
【０１５７】
このために、第４の実施形態においては、室内無線基地局１０２は、移動電話端末１０１に対応する室内機器制御システムが構築されたエリアをカバーしていることから、自身がカバーするエリアから移動電話端末１０１が移動していった場合に、予め定めた特定の機器１０４に接続された機器制御装置１０３に無線信号を送信することで、該機器１０４の動作を制御するようにしている。
【０１５８】
さて、第４の実施形態において、移動電話端末１０１の構成例を示す図は、図２と同様である。
【０１５９】
第４の実施形態の特徴でもあるリモコンとしての機能は、制御部２１０が記憶部２１１に記憶されたプログラムを実行することで実現される。また、このプログラムを実行する際に必要な各種データ（詳細は後述する。）も、記憶部２１１に記憶されている。
【０１６０】
また、第４の実施形態において、機器制御装置１０３の構成例を示す図は、図３と同様である。
【０１６１】
記憶部３１０には、図４（ａ）に示した装置テーブル４００が、予め記憶されている。
【０１６２】
なお、第４の実施形態においても、第１の実施形態と同様に、機器制御装置１０３が、特定の機器１０４の動作を専用に制御するものとしている。
【０１６３】
そこで、記憶部３１０には、さらに、図４（ｂ）に示した動作テーブル４０１が、予め記憶されており、また、動作テーブル４０１に格納された動作ＩＤが各々示す動作を機器１０４に行わせるために必要な処理手順を記述した、制御部３０９が実行するプログラムが、予め記憶されている。
【０１６４】
また、第４の実施形態において、室内無線基地局１０２の構成例を示す図は、図５と同様である。
【０１６５】
記憶部５１０には、通話機能を実現するために必要な処理手順を記述した、制御部５０９が実行するプログラムに加えて、第４の実施形態の特徴である自動制御機能を実現するために必要な処理手順を記述した、制御部５０９が実行するプログラムが、予め記憶されている。
【０１６６】
また、記憶部５１０には、第４の実施形態の特徴である自動制御機能を実現するために、さらに、図１５に示すように、予め定めた少なくとも１つの機器制御装置１０３の装置ＩＤごとに、該装置ＩＤが示す機器制御装置１０３に接続される機器１０４の複数の動作のうちの、予め定めた動作の動作ＩＤを格納した装置・動作テーブル１５００が、予め記憶されている。
【０１６７】
次に、第４の実施形態の動作およびユーザの操作について説明する。
【０１６８】
まず、移動電話端末１０１の記憶部２１１に記憶されている各種データについて説明する。
【０１６９】
移動電話端末１０１の記憶部２１１には、図６（ａ）に示した機種テーブル６００、および、図６（ｂ）に示した機器・機種・装置テーブル６０１が、予め記憶されている。
【０１７０】
なお、機器・機種・装置テーブル６０１の内容は、第１の実施形態で説明したように、ユーザの操作によって登録されるものである。すなわち、機器・機種・装置テーブル６０１の内容を登録する際の動作およびユーザの操作は、第１の実施形態と同様である。
【０１７１】
さて、第４の実施形態において、室内で、ユーザが移動電話端末１０１をリモコンとして用いる際の動作およびユーザの操作は、第１の実施形態と同様である。
【０１７２】
そこで、機器１０４が設置された室内（室内無線基地局１０２がカバーするエリア）から、移動電話端末１０１を所持しているユーザが移動していった場合に、予め定めた特定の機器１０４の動作を自動制御する際の動作について説明する。
【０１７３】
第４の実施形態の特徴である自動制御機能は、ユーザの意思に関わらず、自動的に、予め定めた特定の機器１０４の動作を制御するものであるので、この際のユーザの操作は一切不要であり、従って、移動電話端末１０１は、第１の実施形態で説明した動作は一切行わない。
【０１７４】
ただし、移動電話端末１０１は、既存の移動電話システムにおける位置登録機能を実現するために、自身が存在するエリアが変更した旨を移動電話網１０５に通知するための無線信号である位置登録信号を、移動先のエリアをカバーする無線基地局に送信するようになっている。
【０１７５】
また、第４の実施形態において、室内無線基地局１０２は、従来の動作に加えて、図１６に示す動作を行うようにしている。
【０１７６】
すなわち、室内無線基地局１０２は、図１６に示すように、自身がカバーするエリアに構築された室内機器制御システムに対応する移動電話端末１０１が、自身がカバーするエリアから移動していった場合は（ステップ１６０１）、装置・動作テーブル１５００に格納されている装置ＩＤの各々について、機器制御情報と、該装置ＩＤと、該装置ＩＤに対応付けて装置・動作テーブル１５００に格納されている動作ＩＤとを設定した無線信号（以下、「自動制御信号」と称す。）を作成し（ステップ１６０２）、作成した自動制御信号を送信する（ステップ１６０３）。
【０１７７】
例えば、ステップ１６０１では、室内無線基地局１０２は、移動電話端末１０１が自身がカバーするエリアに存在するときには、それ以前に、該移動電話端末１０１から位置登録信号が送信されたはずであるので、該移動電話端末１０１との間で、定期的に、無線出力レベルをチェックするための無線信号を送受信するようにし、この無線信号の受信レベルが予め定めた閾値以下になったことを契機として、自身がカバーするエリアから該移動電話端末１０１が移動していったと判断するようにすることができる。
【０１７８】
なお、室内無線基地局１０２は、位置登録信号の送信元の移動電話端末１０１が、自身がカバーするエリアに構築された室内機器制御システムに対応する移動電話端末１０１であることを認識するために、該移動電話端末１０１の電話番号を、記憶部５１０に記憶するようにしておく必要がある。
【０１７９】
また、例えば、ステップ１６０１では、室内無線基地局１０２は、自身がカバーするエリアに構築された室内機器制御システムに対応する移動電話網１０１が、自身がカバーするエリアから移動していった旨の通知を、移動電話網１０５から受取るようにすることができる。
【０１８０】
これは、詳しくは、移動電話端末１０１が存在するエリアをカバーする無線基地局を管理する移動電話網１０５が、複数の室内機器制御システムごとに、該室内機器制御システムに対応する移動電話端末１０１と、該室内機器制御システムが構築されたエリアをカバーする室内無線基地局１０２と、該室内機器制御システムが構築されたエリアに隣接する全てのエリアを各々カバーする無線基地局とを管理するようにしておけば、移動電話網１０５は、位置登録信号を送信してきた該移動電話端末１０１が、対応する室内機器制御システムが構築されたエリアから該エリアに隣接するエリアに移動していったか否かを判定することができるので、室内無線基地局１０２への通知を行うことが可能となる。
【０１８１】
これにより、自動制御信号を受信した機器制御装置１０３は、第１の実施形態で説明したように、自身に接続された機器１０４の動作を制御するので、移動電話端末１０１を所持しているユーザが室内無線基地局１０２がカバーするエリアから移動していった場合に、施錠装置に施錠させたり、照明機器に消灯させたりするなど、ユーザが外出時に制御する必要がある機器１０４の動作については、これを確実に行わせることができるようになる。
【０１８２】
以上説明したように、第４の実施形態によれば、１つの移動電話端末１０１を、室内で、１つ以上の機器１０４の動作を制御するためのリモコンとして用いることが可能となると共に、予め定めた特定の機器１０４については、ユーザの意思に関わらず、移動電話端末１０１を所持しているユーザが、該機器１０４が設置された室内から離れていった場合に、自動的に、該機器１０４の動作を制御することが可能となる。
【０１８３】
なお、第４の実施形態において、室内無線基地局１０２が操作部および表示部を備えるようにすれば、装置・動作テーブル１５００の内容は、以下に説明するように、ユーザの操作によって登録することができる。
【０１８４】
すなわち、ユーザは、所望の機器１０４を制御対象として室内無線基地局１０２に登録したい場合に、まず、室内無線基地局１０２の操作部に設けられた特定のキー（例えば、登録キー）を押下することで、その旨の機器登録指示を入力すると共に、登録すべき機器１０４に接続された機器制御装置１０３の装置ＩＤ、および、登録すべき機器１０４の複数の動作のうちの、制御すべき動作の動作ＩＤを、操作部から入力する。
【０１８５】
室内無線基地局１０２は、ユーザが入力した機器登録指示，装置ＩＤ，動作ＩＤを受付けると、受付けた装置ＩＤおよび動作ＩＤを、装置・動作テーブル１５００に登録する。
【０１８６】
これにより、ユーザは、任意の機器１０４を、室内無線基地局１０２に制御対象として登録することができるようになる。
【０１８７】
また、第４の実施形態においては、ユーザの意思に関わらず、予め定めた特定の機器１０４の動作が制御されるので、機器制御装置１０３が、自身に接続された機器１０４の動作を制御した場合に、その旨を、移動電話端末１０１のユーザに通知するようにすることが好ましい。
【０１８８】
以下、このようにした実施形態を、第５の実施形態として、第４の実施形態と異なる点についてのみ説明する。
【０１８９】
第５の実施形態においては、第２の実施形態と同様に、機器制御装置１０３は、自身に接続された機器１０４の動作を制御した後（図１０のステップ１００６の後）に、機器制御情報と、該動作の動作ＩＤと、装置テーブル４００に格納されている装置ＩＤとを設定した無線信号（以下、「制御完了信号」と称す。）を作成し、作成した制御完了信号を送信するようにする。
【０１９０】
また、第５の実施形態においては、室内無線基地局１０２は、自動制御信号を送信した後（図１６のステップ１６０３の後）に、受信した無線信号に、機器制御情報、並びに、図１６のステップ１６０２で設定した装置ＩＤおよび動作ＩＤと各々一致する装置ＩＤおよび動作ＩＤが設定されている場合には、機器制御装置１０３から送信された制御完了信号であることを意味しているので、自身がカバーするエリアに構築された室内機器制御システムに対応する移動電話端末１０１に発信し、該移動電話端末１０１との間の通信路が移動電話網１０５によって確立されると、該制御完了信号を復調して移動電話網１０５に送信するようにする。
【０１９１】
なお、室内無線基地局１０２は、移動電話端末１０１に発信するために、該動電話端末１０１の電話番号を、記憶部５１０に記憶するようにしておく必要がある。
【０１９２】
また、第５の実施形態においては、移動電話端末１０１は、室内無線基地局１０２から着信があった場合に、自身が存在するエリアをカバーする無線基地局を介して移動電話網１０５から受信した無線信号に、機器制御情報が設定されているならば、受信した無線信号が、室内無線基地局１０２が送信した自動制御信号によって機器１０４の動作を制御した機器制御装置１０３から送信された制御完了信号であることを意味しているので、機器・機種・装置テーブル６０１に格納されている機器ＩＤおよび機種ＩＤのうちから、該制御完了信号に設定されている装置ＩＤに対応する機器ＩＤおよび機種ＩＤを求め、求めた機器ＩＤおよび機種ＩＤを、表示部２１２に表示すると共に、該制御完了信号に設定されている動作ＩＤを、表示部２１２に表示するようにする。
【０１９３】
以上説明したように、第５の実施形態によれば、ユーザは、自動的に機器１０４の動作が制御された場合に、該動作が完了した旨を知ることができるようになる。
【０１９４】
さて、ここで、第５の実施形態の室内機器制御システムの具体例を、自動的に動作が制御される機器１０４が、玄関扉の施錠を行う施錠装置である場合を例にして、図１７〜図２０を用いて説明する。
【０１９５】
図１７は施錠装置の動作を制御させる際の動作シーケンス図である。
【０１９６】
図１７に示すように、移動電話端末１０１は、室内無線基地局１０２がカバーするエリアから、該エリアに隣接するエリアに移動した場合に、位置登録信号１７００を、移動後のエリアをカバーする無線基地局を介して移動電話網１０５に送信する。
【０１９７】
移動電話網１０５は、上述したように、位置登録信号１７００の送信元の移動電話端末１０１が、室内無線基地局１０２がカバーするエリア（すなわち、該移動電話端末１０１に対応する室内機器制御システムが構築されたエリア）から、該エリアに隣接するエリアに移動したことを検知するので、その旨を示す位置登録確認信号１７０１を、室内無線基地局１０２に送信する。
【０１９８】
室内無線基地局１０２は、上述したように、位置登録確認信号１７０１を受信すると、機器制御情報と、施錠装置が接続された機器制御装置１０３の装置ＩＤと、施錠する旨を示す動作ＩＤとを設定した自動制御信号１７０２を送信する。
【０１９９】
施錠装置が接続された機器制御装置１０３は、上述したように、自動制御信号１７０２を受信すると、施錠装置が玄関扉を施錠するよう制御し、施錠装置が玄関扉を施錠すると、機器制御情報と、自身の装置ＩＤと、施錠する旨を示す動作ＩＤとを設定した制御完了信号１７０３を送信する。
【０２００】
室内無線基地局１０２は、上述したように、制御完了信号１７０３を受信すると、自身がカバーするエリアに構築された室内機器制御システムに対応する移動電話端末１０１に発信し、移動電話端末１０１との間の通信路が移動電話網１０５によって確立されると、受信した制御完了信号１７０３を復調して移動電話網１０５に送信する。
【０２０１】
一方、移動電話端末１０１は、上述したように、室内無線基地局１０２から着信があり、自身が存在するエリアをカバーする無線基地局を介して移動電話網１０５から制御完了信号１７０３を受信すると、施錠装置が玄関扉を施錠した旨を表示部２１２に表示する。
【０２０２】
なお、室内無線基地局１０２が、自動制御信号１７０２を送信する前に、施錠されているか否かを確認するための無線信号である施錠確認要求信号を送信するようにし、機器制御装置１０３が、施錠確認要求信号を受信した場合に、施錠装置が施錠しているか否かを確認し、確認結果を示す無線信号である施錠確認結果信号を送信するようにしてもよい。
【０２０３】
このようにした場合、図１８に示すように、室内無線基地局１０２は、施錠確認要求信号１８００に対する返答として受信した施錠確認結果信号１８０１が未施錠である旨を示しているときにのみ、自動制御信号１７０２を送信するようにすることができる。
【０２０４】
また、このようにした場合、図１９に示すように、室内無線基地局１０２は、施錠確認結果信号１８０１を受信した時点で、移動電話端末１０１に発信し、移動電話端末１０１との間の通信路が移動電話網１０５によって確立されると、受信した施錠確認結果信号１８０１を復調して移動電話網１０５に送信することで、施錠装置が玄関扉を施錠しているか否かを、移動電話端末１０１のユーザに通知するようにしてもよい。
【０２０５】
そして、さらに、図２０に示すように、移動電話端末１０１は、受信した施錠確認結果信号１８０１が未施錠である旨を示している場合に、施錠する旨の指示を受付けるようにし、施錠する旨の指示を受付けたならば、施錠要求信号２０００を、自身をカバーする無線基地局および移動電話網１０５を介して、室内無線基地局１０２に送信することで、室内無線基地局１０２に自動制御信号１７０２を送信させるようにすることができる。
【０２０６】
なお、図１８〜図２０に示した例では、室内無線基地局１０２が施錠確認要求信号１８００を送信するようにするようにしているが、これを応用させて、室内無線基地局１０２が、定期的または断続的に、機器１０４の動作状態を確認するための無線信号を送信することで、予め定めた機器１０４の動作状態を、該機器１０４に接続された機器制御装置１０３に問合せ、問合せた結果、該機器１０４に障害が発生していることを検知した場合に、移動電話端末１０１に発信して、その旨を通知するようにすることができる。
【０２０７】
なお、第４の実施形態および第５の実施形態においては、第１の実施形態と同様に、リモコンとしての機能を実現しているが、このリモコンとしての機能と、第４の実施形態および第５の実施形態のみの特徴である自動制御機能とは、直接の関連はないので、自動制御機能のみを実現するようにした室内機器制御システムを構築することも可能である。
【０２０８】
このようにした場合、特に、室内無線基地局１０２が、図２１に示すように、予め定めた少なくとも１つの機器制御装置１０３の装置ＩＤごとに、該装置ＩＤが示す機器制御装置１０３に接続される機器１０４の機器ＩＤと、該装置ＩＤが示す機器制御装置１０３に接続される機器１０４が属する機種の機種ＩＤと、該装置ＩＤが示す機器制御装置１０３に接続される機器１０４の複数の動作のうちの、予め定めた動作の動作ＩＤとを格納した装置・機器・機種・動作テーブル２１００を、記憶部５１０に記憶しているようにすると共に、制御完了信号に、機器ＩＤ，機種ＩＤ，動作ＩＤを設定するようにすれば、移動電話端末１０１は、リモコンとしての機能を実現するために必要な処理手順を記述したプログラムも、機種テーブル６００および機器・機種・装置テーブル６０１も、記憶部２１１に記憶していなくても済む。
【０２０９】
さらに、第４の実施形態と同様に、移動電話システムの特徴である位置登録機能を利用することで、予め定めた特定の機器１０４については、ユーザの意思に関わらず、移動電話端末１０１を所持しているユーザの移動の仕方に応じて、自動的に、該機器１０４の動作を制御するようにした実施形態を、第６の実施形態として説明する。
【０２１０】
第６の実施形態の室内機器制御システムの構成図は、図１と同様であり、第６の実施形態も、第１の実施形態と同様に、１つの移動電話端末１０１を、室内で、１つ以上の機器１０４の動作を制御するためのリモコンとして用いることを可能とするものである。
【０２１１】
このために、第６の実施形態においても、第１の実施形態と同様に、制御対象とする１つ以上の機器１０４の各々に、該機器１０４の動作を制御するための機器制御装置１０３を接続し、移動電話端末１０１は、ユーザの操作に従って、実際に動作を制御すべき機器１０４に接続された機器制御装置１０３との間で無線信号を送受信することで、該機器１０４の動作を制御するようにしている。
【０２１２】
さらに、第６の実施形態は、予め定めた特定の機器１０４については、ユーザの意思に関わらず、移動電話端末１０１を所持しているユーザが、該機器１０４が設置された室内に戻ってきた場合に、自動的に、該機器１０４の動作を制御することを可能とするものである。
【０２１３】
このために、第６の実施形態においては、室内無線基地局１０２は、移動電話端末１０１に対応する室内機器制御システムが構築されたエリアをカバーしていることから、自身がカバーするエリアに移動電話端末１０１が移動してきた場合に、予め定めた特定の機器１０４に接続された機器制御装置１０３に無線信号を送信することで、該機器１０４の動作を制御するようにしている。
【０２１４】
さて、第６の実施形態において、移動電話端末１０１の構成例を示す図は、図２と同様である。
【０２１５】
第４の実施形態の特徴でもあるリモコンとしての機能は、制御部２１０が記憶部２１１に記憶されたプログラムを実行することで実現される。また、このプログラムを実行する際に必要な各種データ（詳細は後述する。）も、記憶部２１１に記憶されている。
【０２１６】
また、第６の実施形態において、機器制御装置１０３の構成例を示す図は、図３と同様である。
【０２１７】
記憶部３１０には、図４（ａ）に示した装置テーブル４００が、予め記憶されている。
【０２１８】
なお、第６の実施形態においても、第１の実施形態と同様に、機器制御装置１０３が、特定の機器１０４の動作を専用に制御するものとしている。
【０２１９】
そこで、記憶部３１０には、さらに、図４（ｂ）に示した動作テーブル４０１が、予め記憶されており、また、動作テーブル４０１に格納された動作ＩＤが各々示す動作を機器１０４に行わせるために必要な処理手順を記述した、制御部３０９が実行するプログラムが、予め記憶されている。
【０２２０】
また、第６の実施形態において、室内無線基地局１０２の構成例を示す図は、図５と同様である。
【０２２１】
記憶部５１０には、通話機能を実現するために必要な処理手順を記述した、制御部５０９が実行するプログラムに加えて、第６の実施形態の特徴である自動制御機能を実現するために必要な処理手順を記述した、制御部５０９が実行するプログラムが、予め記憶されている。
【０２２２】
また、記憶部５１０には、第６の実施形態の特徴である自動制御機能を実現するために、さらに、図１５に示した装置・動作テーブル１５００が、予め記憶されている。
【０２２３】
次に、第６の実施形態の動作およびユーザの操作について説明する。
【０２２４】
まず、移動電話端末１０１の記憶部２１１に記憶されている各種データについて説明する。
【０２２５】
移動電話端末１０１の記憶部２１１には、図６（ａ）に示した機種テーブル６００、および、図６（ｂ）に示した機器・機種・装置テーブル６０１が、予め記憶されている。
【０２２６】
なお、機器・機種・装置テーブル６０１の内容は、第１の実施形態で説明したように、ユーザの操作によって登録されるものである。すなわち、機器・機種・装置テーブル６０１の内容を登録する際の動作およびユーザの操作は、第１の実施形態と同様である。
【０２２７】
さて、第６の実施形態において、室内で、ユーザが移動電話端末１０１をリモコンとして用いる際の動作およびユーザの操作は、第１の実施形態と同様である。
【０２２８】
そこで、機器１０４が設置された室内（室内無線基地局１０２がカバーするエリア）に、移動電話端末１０１を所持しているユーザが移動してきた場合に、予め定めた特定の機器１０４の動作を自動制御する際の動作について説明する。
【０２２９】
第６の実施形態の特徴である自動制御機能は、ユーザの意思に関わらず、自動的に、予め定めた特定の機器１０４の動作を制御するものであるので、この際のユーザの操作は一切不要であり、従って、移動電話端末１０１は、第１の実施形態で説明した動作は一切行わない。
【０２３０】
ただし、移動電話端末１０１は、既存の移動電話システムにおける位置登録機能を実現するために、自身が存在するエリアが変更した旨を移動電話網１０５に通知するための無線信号である位置登録信号を、移動先のエリアをカバーする無線基地局に送信するようになっている。
【０２３１】
また、第６の実施形態において、室内無線基地局１０２は、従来の動作に加えて、図２２に示す動作を行うようにしている。
【０２３２】
すなわち、室内無線基地局１０２は、図２２に示すように、自身がカバーするエリアに構築された室内機器制御システムに対応する移動電話端末１０１が、自身がカバーするエリアに移動してきた場合は（ステップ２２０１）、装置・動作テーブル１５００に格納されている装置ＩＤの各々について、機器制御情報と、該装置ＩＤと、該装置ＩＤに対応付けて装置・動作テーブル１５００に格納されている動作ＩＤとを設定した自動制御信号を作成し（ステップ２２０２）、作成した自動制御信号を送信する（ステップ２２０３）。
【０２３３】
例えば、ステップ２２０１では、室内無線基地局１０２は、自身がカバーするエリアに構築された室内機器制御システムに対応する移動電話端末１０１から位置登録信号を受信したことを契機として、該移動電話端末１０１が自身がカバーするエリアに移動してきたと判断するようにすることができる。
【０２３４】
なお、室内無線基地局１０２は、位置登録信号の送信元の移動電話端末１０１が、自身がカバーするエリアに構築された室内機器制御システムに対応する移動電話端末１０１であることを認識するために、該移動電話端末１０１の電話番号を、記憶部５１０に記憶するようにしておく必要がある。
【０２３５】
これにより、自動制御信号を受信した機器制御装置１０３は、第１の実施形態で説明したように、自身に接続された機器１０４の動作を制御するので、移動電話端末１０１を所持しているユーザが室内無線基地局１０２がカバーするエリアに移動してきた場合に、施錠装置に解錠させたり、照明機器に点灯させたりするなど、ユーザが帰宅時に制御する必要がある機器１０４の動作については、これを確実に行わせることができるようになる。
【０２３６】
以上説明したように、第６の実施形態によれば、１つの移動電話端末１０１を、室内で、１つ以上の機器１０４の動作を制御するためのリモコンとして用いることが可能となると共に、予め定めた特定の機器１０４については、ユーザの意思に関わらず、移動電話端末１０１を所持しているユーザが、該機器１０４が設置された室内に戻ってきた場合に、自動的に、該機器１０４の動作を制御することが可能となる。
【０２３７】
なお、第６の実施形態においても、第４の実施形態と同様に、室内無線基地局１０２が操作部および表示部を備えるようにすれば、装置・動作テーブル１５００の内容は、ユーザの操作によって登録することができる。
【０２３８】
また、第６の実施形態においては、ユーザが、帰宅して、自動的に動作が制御された機器１０４を確認することができるので、第５の実施形態で説明したように、機器制御装置１０３が、自身に接続された機器１０４の動作を制御した旨を通知する必要は特にない。
【０２３９】
さて、ここで、第６の実施形態の室内機器制御システムの具体例を、自動的に動作が制御される機器１０４が、照明機器である場合を例にして、図２３を用いて説明する。
【０２４０】
図２３は照明機器の動作を制御させる際の動作シーケンス図である。
【０２４１】
図２３に示すように、移動電話端末１０１は、室内無線基地局１０２がカバーするエリアに隣接するエリアから、室内無線基地局１０２がカバーするエリアに移動した場合に、位置登録信号２３００を、室内無線基地局１０２を介して移動電話網１０５に送信する。
【０２４２】
室内無線基地局１０２は、上述したように、位置登録信号２３００を受信すると、位置登録信号２３００の送信元の移動電話端末１０１が、自身がカバーするエリア（すなわち、該移動電話端末１０１に対応する室内機器制御システムが構築されたエリア）に移動してきたと判断するので、機器制御情報と、照明機器が接続された機器制御装置１０３の装置ＩＤと、点灯する旨を示す動作ＩＤとを設定した自動制御信号２３０１を送信する。
【０２４３】
照明機器が接続された機器制御装置１０３は、上述したように、自動制御信号２３０１を受信すると、照明機器が点灯するよう制御する。
【０２４４】
なお、図２３に示すように、照明機器が接続された機器制御装置１０３は、照明機器が点灯すると、機器制御情報と、自身の装置ＩＤと、点灯する旨を示す動作ＩＤとを設定した制御完了信号２３０２を送信するようにすれば、室内無線基地局１０２が、照明機器が点灯した旨を確認することが可能となる。
【０２４５】
なお、第６の実施形態においては、第１の実施形態と同様に、リモコンとしての機能を実現しているが、このリモコンとしての機能と、第６の実施形態のみの特徴である自動制御機能とは、直接の関連はないので、自動制御機能のみを実現するようにした室内機器制御システムを構築することも可能である。
【０２４６】
このようにした場合、特に、室内無線基地局１０２が、図２１に示した装置・機器・機種・動作テーブル２１００を、記憶部５１０に記憶しているようにすると共に、制御完了信号に、機器ＩＤ，機種ＩＤ，動作ＩＤを設定するようにすれば、移動電話端末１０１は、リモコンとしての機能を実現するために必要な処理手順を記述したプログラムも、機種テーブル６００および機器・機種・装置テーブル６０１も、記憶部２１１に記憶していなくても済む。
【０２４７】
ところで、第１の実施形態を除いたいずれの実施形態においても、室内無線基地局１０２が、各実施形態の特徴である遠隔制御機能や自動制御機能を実現するための動作を行うようにしているが、この動作を行うための専用の装置（以下、「室内機器制御装置」と称す。）を設け、通信網１０５と室内無線基地局１０２との間に設置するようにしてもよい。
【０２４８】
このようにする場合、室内機器制御装置は、室内無線基地局１０２を介して、機器制御装置１０３や移動電話端末１０１との間で無線信号を送受信するようにすることができ、その構成例は、図２４に示すようにすることができる。
【０２４９】
図２４に示すように、室内機器制御装置は、回線インタフェース部２４０１と、室内無線基地局インタフェース部２４０２と、バス２４０３と、制御部２４０４と、記憶部２４０５と、表示部２４０６と、操作部２４０７とを備えて構成されている。
【０２５０】
【発明の効果】
以上説明したように、本発明によれば、１つの移動電話端末をリモコンとして用いて、１つ以上の機器の動作を制御することを可能とした室内機器制御システムを提供することができる。
【０２５１】
また、本発明によれば、移動電話端末を所持しているユーザの移動の仕方に応じて、自動的に、予め定めた機器の動作を制御することを可能とした室内機器制御システムを提供することができる。
【図面の簡単な説明】
【図１】第１の実施形態の室内機器制御システムの構成図。
【図２】第１の実施形態における移動電話端末の構成図。
【図３】第１の実施形態における機器制御装置の構成図。
【図４】第１の実施形態における機器制御装置の記憶部が記憶しているテーブルを示す説明図。
【図５】第１の実施形態における室内無線基地局の構成図。
【図６】第１の実施形態における移動電話端末の記憶部が記憶しているテーブルを示す説明図。
【図７】第１の実施形態における移動電話端末の動作を示すフローチャート。
【図８】第１の実施形態における移動電話端末の表示部の表示内容を示す説明図。
【図９】第１の実施形態における信号フォーマットを示す説明図。
【図１０】第１の実施形態における機器制御装置の動作を示すフローチャート。
【図１１】第１の実施形態における移動電話端末の動作を示すフローチャート。
【図１２】第１の実施形態における移動電話端末の表示部の表示内容を示す説明図。
【図１３】第２の実施形態における移動電話網の記憶部が記憶しているテーブルを示す説明図。
【図１４】第２の実施形態における移動電話網の動作を示すフローチャート。
【図１５】第４の実施形態における室内無線基地局の記憶部が記憶しているテーブルを示す説明図。
【図１６】第４の実施形態における室内無線基地局の動作を示すフローチャート。
【図１７】第５の実施形態の室内機器制御システムの具体例の動作シーケンス図。
【図１８】第５の実施形態の室内機器制御システムの具体例の動作シーケンス図。
【図１９】第５の実施形態の室内機器制御システムの具体例の動作シーケンス図。
【図２０】第５の実施形態の室内機器制御システムの具体例の動作シーケンス図。
【図２１】自動制御機能のみを実現する室内機器制御システムにおける室内無線基地局の記憶部が記憶しているテーブルを示す説明図。
【図２２】第６の実施形態における室内無線基地局の動作を示すフローチャート。
【図２３】第６の実施形態の室内機器制御システムの具体例の動作シーケンス図。
【図２４】遠隔制御機能や自動制御機能を実現するための動作を行うための専用の室内機器制御装置の構成図。
【符号の説明】
１０１…移動電話端末、１０２…室内無線基地局、１０３…機器制御装置、１０４…機器、１０５…移動電話網、２０１…マイク、２０２…スピーカ、２０３…音声符号化部、２０４…チャネルコーデック部、２０５…復調部、２０６…変調部、２０７…高周波（ＲＦ）部、２０８…アンテナ、２０９…バス、２１０…制御部、２１１…記憶部、２１２…表示部、２１３…操作部、３０１…接続端子、３０２…機器インタフェース部、３０３…チャネルコーデック部、３０４…復調部、３０５…変調部、３０６…高周波（ＲＦ）部、３０７…アンテナ、３０８…バス、３０９…制御部、３１０…記憶部、４００…装置テーブル、４０１…動作テーブル、５０１…回線インタフェース部、５０２…音声符号化部、５０３…チャネルコーデック部、５０４…復調部、５０５…変調部、５０６…アンテナ、５０７…高周波（ＲＦ）部、５０８…バス、５０９…制御部、５１０…記憶部、６００…機種テーブル、６０１…機器・機種・装置テーブル、６０２…システムテーブル、１３００…基地局テーブル、１５００…装置・動作テーブル、２１００…装置・機器・機種・動作テテーブル、２４０１…回線インタフェース部、２４０２…室内無線基地局インタフェース部、２４０３…バス、２４０４…制御部、２４０５…記憶部、２４０６…表示部、２４０７…操作部。
【図１】
0003774276.tif 000002
【図２】
0003774276.tif 000003
【図３】
0003774276.tif 000004
【図４】
0003774276.tif 000005
【図５】
0003774276.tif 000006
【図６】
0003774276.tif 000007
【図７】
0003774276.tif 000008
【図８】
0003774276.tif 000009
【図９】
0003774276.tif 000010
【図１０】
0003774276.tif 000011
【図１１】
0003774276.tif 000012
【図１２】
0003774276.tif 000013
【図１３】
0003774276.tif 000014
【図１４】
0003774276.tif 000015
【図１５】
0003774276.tif 000016
【図１６】
0003774276.tif 000017
【図１７】
0003774276.tif 000018
【図１８】
0003774276.tif 000019
【図１９】
0003774276.tif 000020
【図２０】
0003774276.tif 000021
【図２１】
0003774276.tif 000022
【図２２】
0003774276.tif 000023
【図２３】
0003774276.tif 000024
【図２４】
0003774276.tif 000025